(57)【要約】【課題】映像音声出力機器に対するリモコンが操作された場合は、所定時間が経過するまでは、テレビジョン受像機のパワーオフ機能を働かないようにすることが可能なテレビジョン受像機を提供する。【解決手段】テレビジョン受像機の主電源がオンされてから、タイマにより時間が計時され、所定時間が経過すると、主電源がオフされるが、所定時間が経過するまでに、ＤＶＤプレイヤなどに対するリモコンのキー操作またはテレビジョン受像機に対するリモコンの電源キー以外のキー操作がされたとき、タイマはリセットされ、これにより、再び最初から計時された所定時間が経過するまでは、テレビジョン受像機の主電源がオフされることがないので、ＤＶＤプレイヤなどからの映像音声情報を視聴中にテレビジョン受像機の主電源がオフされるようなことがなくなる。【選択図】図２
2008227895.tif 000002
【特許請求の範囲】
【請求項１】
外部接続された映像音声出力機器からの映像信号および音声信号を入力して映像および音声を出力することも可能で、所定時間操作されなかったときに主電源をオフさせる機能をも有するテレビジョン受像機において、
主電源がオンされたときに、主電源をオフさせるためタイマの計時動作を開始させる計時開始手段と、
前記タイマにより計時された時間が所定時間を経過したか否かを判定する時間経過判定手段と、
前記タイマにより計時された時間が所定時間を経過したと判定されたとき、主電源をオフさせる電源オフ手段と、
前記タイマにより計時された時間が所定時間を経過していないと判定されているとき、リモコン信号を受信したか否かを判定するリモコン信号受信判定手段と、
前記リモコン信号を受信したと判定されたときに、受信したリモコン信号が示す当該リモコンコードはメモリに予め記憶されているリモコンコードに含まれるか否かを判定する記憶リモコンコード判定手段と、
当該リモコンコードがメモリに予め記憶されているリモコンコードに含まれると判定されたとき、当該リモコンコードは映像音声出力機器のリモコンコードであるか否かを判定する映像音声出力機器リモコンコード判定手段と、
当該リモコンコードは映像音声出力機器のリモコンコードでないと判定されたとき、当該リモコンコードは受像機電源オフのリモコンコードであるか否かを判定する受像機電源オフリモコンコード判定手段と、
当該リモコンコードは映像音声出力機器のリモコンコードであると判定されたとき、または当該リモコンコードは受像機電源オフのリモコンコードでないと判定されたとき、前記タイマによる計時を最初から開始させるために前記タイマをリセットするタイマリセット手段と、を有するシステムコントローラを備えたことを特徴とするテレビジョン受像機。
【請求項２】
外部接続された映像音声出力機器からの映像信号および音声信号を入力して映像および音声を出力することも可能で、所定時間操作されなかったときに主電源をオフさせる機能をも有するテレビジョン受像機において、
主電源がオンされてから時間をタイマで計時させ、所定時間を経過したときは、主電源をオフさせ、前記所定時間の経過前にリモコン信号を受信したときに、前記タイマをリセットし、前記タイマによる計時を最初から開始させるシステムコントローラを備えたことを特徴とするテレビジョン受像機。
【請求項３】
前記システムコントローラは、主電源がオンされたときに、主電源をオフさせるためタイマの計時動作を開始させる計時開始手段と、前記タイマにより計時された時間が所定時間を経過したか否かを判定する時間経過判定手段と、前記タイマにより計時された時間が所定時間を経過したと判定されたとき、主電源をオフさせる電源オフ手段と、前記タイマにより計時された時間が所定時間を経過していないと判定されているとき、リモコン信号を受信したか否かを判定するリモコン信号受信判定手段と、前記リモコン信号を受信したと判定されたときに、前記タイマによる計時を最初から開始させるために前記タイマをリセットするタイマリセット手段とを有することを特徴とする請求項２に記載のテレビジョン受像機。
【請求項４】
前記システムコントローラは、前記リモコン信号を受信したと判定されたときに、受信したリモコン信号が示す当該リモコンコードはメモリに予め記憶されているリモコンコードに含まれるか否かを判定する記憶リモコンコード判定手段と、当該リモコンコードがメモリに予め記憶されているリモコンコードに含まれると判定されたとき、当該リモコンコードは映像音声出力機器のリモコンコードであるか否かを判定する映像音声出力機器リモコンコード判定手段と、当該リモコンコードは映像音声出力機器のリモコンコードでないと判定されたとき、当該リモコンコードは受像機電源オフのリモコンコードであるか否かを判定する受像機電源オフリモコンコード判定手段とを有し、当該リモコンコードは映像音声出力機器のリモコンコードであると判定されたとき、または当該リモコンコードは受像機電源オフのリモコンコードでないと判定されたとき、前記タイマによる計時を最初から開始させるために前記タイマを前記タイマリセット手段によりリセットさせることを特徴とする請求項３に記載のテレビジョン受像機。
【発明の詳細な説明】
【技術分野】
【０００１】
本発明は、外部接続された映像音声出力機器からの映像信号および音声信号を入力して映像および音声を出力することも可能で、所定時間操作されなかったときに主電源をオフさせる機能をも有するテレビジョン受像機に関し、特に、所定時間の間に無操作であった時に、受像機の主電源を自動的にオフさせるパワーオフ機能に関する。
【背景技術】
【０００２】
従来から、テレビジョン受像機では、ユーザが、例えば、テレビ番組を視聴中に眠ってしまったり、あるいは電源を切り忘れて外出してしまったりした場合などに、電源が入りぱなしになってしまうことを防ぐため、所定時間操作が行われなかったときに、主電源を自動的にオフさせるパワーオフ機能（オフタイマ機能とも言う）が備えられている。
【特許文献１】特開２００７−２７９７３号公報
【特許文献２】特開平４−３７３９５号公報
【発明の開示】
【発明が解決しようとする課題】
【０００３】
しかしながら、近年、テレビジョン受像機は、ビデオレコーダ、ＤＶＤプレイヤ、ＤＶＤレコーダ、ハードディスクレコーダなどの映像音声出力機器からの再生映像および再生音声を出力させるためのモニタ装置として使用される場合が多く、このような場合に再生中においては、テレビジョン受像機のリモコンを操作して音量を調整しない限り、テレビジョン受像機は操作が全くされないので、テレビジョン受像機では、無操作状態が所定時間続いたものと見なされて、視聴中にもかかわらずパワーオフ機能が働いて、テレビジョン受像機の主電源が切られてしまうと言う課題が生じる。
【０００４】
そこで、特許文献１の従来技術では、そのような課題を解決するために、例えば、ビデオレコーダのリモートコントロール装置（リモコン）において、キー操作部が操作されると、その操作信号をビデオレコーダに対して送信させると共に、所定のテレビ用操作信号をテレビ受信機（テレビジョン受像機）に対して送信させて、テレビ受信機の無操作オフタイマ（パワーオフ機能）を解除させるようにしている。
【０００５】
しかしながら、この従来技術は、リモコンにおいて、キー操作部が操作されると、その操作信号をビデオレコーダに対して送信させる以外に、テレビ受信機（テレビジョン受像機）の無操作オフタイマ（パワーオフ機能）を解除させるための所定のテレビ用操作信号も送信させる必要があるので、リモコンの送信処理が複雑化し、また、所定のテレビ用操作信号を送信することができない既存のリモコンが操作されても、テレビ受信機の無操作オフタイマ（パワーオフ機能）を解除させることができないと言う課題が生じる。
【０００６】
また、特許文献２の従来技術は、ホーム・バスシステムなどの複数の電子機器の制御を行う送受信装置に関するものであり、ユーザが、テレビジョン受像機にＤＶＤプレイヤなどの映像音声出力機器を接続し、その映像音声出力機器による映像音声情報を視聴している間でも、テレビジョン受像機に対して所定時間操作されなかったとき、テレビジョン受像機の主電源を自動的にオフさせるパワーオフ機能により、テレビジョン受像機の主電源がオフされるが、このような場合、その映像音声出力機器に対するリモコンを操作すれば、パワーオフ機能を解除して、リモコン操作から所定時間が経過するまでは、テレビジョン受像機の主電源がオフになるのを防ぐようにしたものではない。
【０００７】
本発明は、上記のような課題を解決するためになされたもので、映像音声出力機器が接続されていて、映像音声出力機器に対するリモコンが操作された場合は、所定時間が経過するまでは、テレビジョン受像機のパワーオフ機能を働かないようにすることが可能なテレビジョン受像機を提供することを目的とする。
【課題を解決するための手段】
【０００８】
上記目的を達成するために、請求項１の発明は、外部接続された映像音声出力機器からの映像信号および音声信号を入力して映像および音声を出力することも可能で、所定時間操作されなかったときに主電源をオフさせる機能をも有するテレビジョン受像機において、主電源がオンされたときに、主電源をオフさせるためタイマの計時動作を開始させる計時開始手段と、前記タイマにより計時された時間が所定時間を経過したか否かを判定する時間経過判定手段と、前記タイマにより計時された時間が所定時間を経過したと判定されたとき、主電源をオフさせる電源オフ手段と、前記タイマにより計時された時間が所定時間を経過していないと判定されているとき、リモコン信号を受信したか否かを判定するリモコン信号受信判定手段と、前記リモコン信号を受信したと判定されたときに、受信したリモコン信号が示す当該リモコンコードはメモリに予め記憶されているリモコンコードに含まれるか否かを判定する記憶リモコンコード判定手段と、当該リモコンコードがメモリに予め記憶されているリモコンコードに含まれると判定されたとき、当該リモコンコードは映像音声出力機器のリモコンコードであるか否かを判定する映像音声出力機器リモコンコード判定手段と、当該リモコンコードは映像音声出力機器のリモコンコードでないと判定されたとき、当該リモコンコードは受像機電源オフのリモコンコードであるか否かを判定する受像機電源オフリモコンコード判定手段と、当該リモコンコードは映像音声出力機器のリモコンコードであると判定されたとき、または当該リモコンコードは受像機電源オフのリモコンコードでないと判定されたとき、前記タイマによる計時を最初から開始させるために前記タイマをリセットするタイマリセット手段と、を有するシステムコントローラを備えたことを特徴とするテレビジョン受像機を提供する。
【０００９】
この構成において、主電源がオンされたときに、計時開始手段は、主電源をオフさせるためタイマの計時動作を開始させる。そして、時間経過判定手段は、タイマにより計時された時間が所定時間を経過したか否かを判定する。前記所定時間は、テレビジョン受像機の主電源がオンされてからの時間であるが、その所定時間になるまでの間に何らかの操作がされたときは、その操作されてからの時間になる。電源オフ手段は、タイマにより計時された時間が所定時間を経過したと判定されたとき、主電源をオフさせる。
【００１０】
一方、タイマにより計時された時間が所定時間を経過していないと判定されているとき、リモコン信号受信判定手段は、リモコン信号を受信したか否かを判定する。前記リモコン信号を受信したと判定されたとき、記憶リモコンコード判定手段は、受信したリモコン信号が示す当該リモコンコードはメモリに予め記憶されているリモコンコードに含まれるか否かを判定する。当該リモコンコードがメモリに予め記憶されているリモコンコードに含まれると判定されたとき、映像音声出力機器リモコンコード判定手段は、当該リモコンコードが映像音声出力機器のリモコンコードであるか否かを判定する。
【００１１】
当該リモコンコードは映像音声出力機器のリモコンコードでないと判定されたとき、受像機電源オフリモコンコード判定手段は、当該リモコンコードは受像機電源オフのリモコンコードであるか否かを判定する。当該リモコンコードは映像音声出力機器のリモコンコードであると判定されたとき、または当該リモコンコードは受像機電源オフのリモコンコードでないと判定されたとき、タイマリセット手段は、タイマによる計時を最初から開始させるためにタイマをリセットする。これにより、タイマの内容は０となり、タイマは最初から計時を行う。そして、タイマにより計時された時間が所定時間を経過したとすれば、電源オフ手段は、主電源をオフさせる。
【００１２】
この構成によれば、テレビジョン受像機の主電源がオンされてから、タイマにより時間が計時され、所定時間が経過すると、主電源がオフされるが、所定時間が経過するまでに、外部接続された映像音声出力機器に対するリモコンのキー操作またはテレビジョン受像機に対するリモコンの電源キー以外のキー操作がされたとき、タイマはリセットされ、これにより、再び最初から計時された所定時間が経過するまでは、テレビジョン受像機の主電源がオフされることがないので、ユーザは、映像音声出力機器からの映像音声情報をテレビジョン受像機で視聴中に、テレビジョン受像機のパワーオフ機能が働いてテレビジョン受像機の主電源がオフするようなことがなくなり、安心して映像音声情報を視聴することができるようになる。
【００１３】
また、映像音声出力機器に対するリモコンにおいては、操作信号を映像音声出力機器に対して送信させる以外に、テレビジョン受像機のパワーオフ機能を解除させるための所定のテレビ用操作信号も送信させる必要がないので、映像音声出力機器に対するリモコンは、そのまま使用しても、テレビジョン受像機のパワーオフ機能を解除させることができ、したがって、映像音声出力機器に対する使い勝手も向上する。
【００１４】
請求項２の発明は、外部接続された映像音声出力機器からの映像信号および音声信号を入力して映像および音声を出力することも可能で、所定時間操作されなかったときに主電源をオフさせる機能をも有するテレビジョン受像機において、主電源がオンされてから時間をタイマで計時させ、所定時間を経過したときは、主電源をオフさせ、前記所定時間の経過前にリモコン信号を受信したときに、前記タイマをリセットし、前記タイマによる計時を最初から開始させるシステムコントローラを備えたことを特徴とするテレビジョン受像機を提供する。
【００１５】
この構成において、主電源がオンされてから時間がタイマで計時され、所定時間を経過したときは、主電源がオフされる。前記所定時間の経過前にリモコン信号が受信されたときに、前記タイマがリセットされ、前記タイマによる計時が最初から開始される。
【００１６】
この構成によれば、テレビジョン受像機の主電源がオンされてから、タイマにより時間が計時され、所定時間が経過すると、主電源がオフされるが、所定時間が経過するまでに、外部接続された映像音声出力機器に対するリモコンのキー操作またはテレビジョン受像機に対するリモコンの電源キー以外のキー操作がされたとき、タイマはリセットされ、これにより、再び最初から計時された所定時間が経過するまでは、テレビジョン受像機の主電源がオフされることがないので、ユーザは、映像音声出力機器からの映像音声情報をテレビジョン受像機で視聴中に、テレビジョン受像機のパワーオフ機能が働いてテレビジョン受像機の主電源がオフするようなことがなくなり、安心して映像音声情報を視聴することができるようになる。
【００１７】
また、映像音声出力機器に対するリモコンにおいては、操作信号を映像音声出力機器に対して送信させる以外に、テレビジョン受像機のパワーオフ機能を解除させるための所定のテレビ用操作信号も送信させる必要がないので、映像音声出力機器に対するリモコンは、そのまま使用しても、テレビジョン受像機のパワーオフ機能を解除させることができ、したがって、映像音声出力機器に対する使い勝手も向上する。
【００１８】
請求項３の発明では、請求項２の発明において、前記システムコントローラは、主電源がオンされたときに、主電源をオフさせるためタイマの計時動作を開始させる計時開始手段と、前記タイマにより計時された時間が所定時間を経過したか否かを判定する時間経過判定手段と、前記タイマにより計時された時間が所定時間を経過したと判定されたとき、主電源をオフさせる電源オフ手段と、前記タイマにより計時された時間が所定時間を経過していないと判定されているとき、リモコン信号を受信したか否かを判定するリモコン信号受信判定手段と、前記リモコン信号を受信したと判定されたときに、前記タイマによる計時を最初から開始させるために前記タイマをリセットするタイマリセット手段とを有することを特徴とする。
【００１９】
したがって、前記システムコントローラは、計時開始処理、時間経過判定処理、電源オフ処理、リモコン信号受信判定処理、およびタイマリセット処理を実現でき、これにより、テレビジョン受像機の主電源がオンされてから、タイマにより時間を計時し、所定時間が経過すると、主電源をオフさせることが可能になる。また、所定時間が経過するまでに、外部接続された映像音声出力機器に対するリモコンのキー操作またはテレビジョン受像機に対するリモコンの電源キー以外のキー操作がされたとき、タイマをリセットさせることができ、これにより、再び最初から計時された所定時間が経過するまでは、テレビジョン受像機の主電源をオフされることがない。
【００２０】
請求項４の発明では、請求項３の発明において、前記システムコントローラは、前記リモコン信号を受信したと判定されたときに、受信したリモコン信号が示す当該リモコンコードはメモリに予め記憶されているリモコンコードに含まれるか否かを判定する記憶リモコンコード判定手段と、当該リモコンコードがメモリに予め記憶されているリモコンコードに含まれると判定されたとき、当該リモコンコードは映像音声出力機器のリモコンコードであるか否かを判定する映像音声出力機器リモコンコード判定手段と、当該リモコンコードは映像音声出力機器のリモコンコードでないと判定されたとき、当該リモコンコードは受像機電源オフのリモコンコードであるか否かを判定する受像機電源オフリモコンコード判定手段とを有し、当該リモコンコードは映像音声出力機器のリモコンコードであると判定されたとき、または当該リモコンコードは受像機電源オフのリモコンコードでないと判定されたとき、前記タイマによる計時を最初から開始させるために前記タイマを前記タイマリセット手段によりリセットさせることを特徴とする。
【００２１】
したがって、前記システムコントローラは、記憶リモコンコード判定処理、映像音声出力機器リモコンコード判定処理、および受像機電源オフリモコンコード判定処理を実現でき、当該リモコンコードは映像音声出力機器のリモコンコードであると判定されたとき、または当該リモコンコードは受像機電源オフのリモコンコードでないと判定されたとき、前記タイマによる計時を最初から開始させるために前記タイマをリセットさせることが可能になる。
【発明の効果】
【００２２】
以上のように本発明によれば、テレビジョン受像機の主電源がオンされてから、タイマにより時間が計時され、所定時間が経過すると、主電源がオフされるが、所定時間が経過するまでに、外部接続された映像音声出力機器に対するリモコンのキー操作またはテレビジョン受像機に対するリモコンの電源キー以外のキー操作がされたとき、タイマはリセットされ、これにより、再び最初から計時された所定時間が経過するまでは、テレビジョン受像機の主電源がオフされることがないので、ユーザは、映像音声出力機器からの映像音声情報をテレビジョン受像機で視聴中に、テレビジョン受像機のパワーオフ機能が働いてテレビジョン受像機の主電源がオフするようなことがなくなり、安心して映像音声情報を視聴することができるようになる。
【００２３】
また、映像音声出力機器に対するリモコンにおいては、操作信号を映像音声出力機器に対して送信させる以外に、テレビジョン受像機のパワーオフ機能を解除させるための所定のテレビ用操作信号も送信させる必要がないので、映像音声出力機器に対するリモコンは、そのまま使用しても、テレビジョン受像機のパワーオフ機能を解除させることができ、したがって、映像音声出力機器に対する使い勝手も向上する。
【発明を実施するための最良の形態】
【００２４】
以下、添付図面を参照しつつ、本発明の実施の形態について説明する。図１は本発明の一実施形態に係るテレビジョン受像機の構成を示すブロック図である。ここでは、テレビジョン受像機に外部接続される映像音声出力機器としては、ＤＶＤプレイヤを例に挙げて説明するが、映像音声出力機器としては、ＤＶＤプレイヤに限らず、ＤＶＤレコーダやハードディスクレコーダなどのように、映像音声信号を出力する機器であり、リモコンにより操作可能な機器であれば何れであっても良い。また、ここでは、テレビジョン受像機がデジタル方式のテレビジョン受像機の構成について説明するが、アナログ方式のテレビジョン受像機であっても、本発明の特徴とするパワーオフ機能を採用できることは言うまでもない。
【００２５】
図１において、テレビジョン受像機Ａは、チューナ１、デマルチプレクサ２、映像信号処理回路３、画像処理回路４、フレームメモリ５、映像出力回路６、ディスプレイ装置７、映像入力端子８、ビデオデコーダ９、音声入力端子１０、オーディオデータ１１、音声信号処理回路１２、音声出力回路１３、スピーカ１４、システムコントローラ１５、リモコン受信部１９、タイマ２０、電源制御回路２１、および電源部２２を含み構成されている。
【００２６】
チューナ１は、アンテナａに接続され、図示しない復調回路、逆インタリーブ回路、誤り訂正回路などを備えており、映像音声データを含む高周波デジタル変調信号のうちから特定周波数の信号を取り出す処理、即ち、デジタル放送の複数のトランスポンダの中から一つを選択する処理を行う。映像信号処理回路３は、ビデオデコーダなどを内蔵しており、入力された可変長符号を復号して量子化係数や動きベクトルを求め、逆ＤＣＴ変換（逆離散コサイン変換）や動きベクトルに基づく動き補償制御などを行って、チューナ１の選局信号に対応してチャンネルの映像信号（デジタル形式のＲＧＢまたはＹＵＶの映像信号）を画像処理回路４に出力する。
【００２７】
画像処理回路４は、映像信号処理回路３またはビデオデコーダ９から映像信号を取り込むと、ディスプレイ装置７の解像度に応じたサイズなどの処理を行い、例えば、フレームメモリ５にフレーム画像を展開し、そのフレーム画像の映像信号を映像出力回路６に出力する。映像出力回路６は、そのフレーム画像の映像信号をＤ／Ａ変換などの処理を行ってディスプレイ装置７を駆動し、これにより、ディスプレイ装置７は、そのフレーム画像に対応した映像を出力する。
【００２８】
音声信号処理回路１２は、オーディオデコーダなどを内蔵しており、入力された符合化信号を復号して音声データを生成し、更に、その音声データをＤ／Ａ変換し、例えば、右側のアナログ音声信号および左側のアナログ音声信号を生成して音声出力回路１３に出力する。音声出力回路１３は、右側のアナログ音声信号および左側のアナログ音声信号を増幅してスピーカ１４に供給し、スピーカ１４から音声を出力させる。
【００２９】
映像入力端子８には、映像用ケーブルｄを介して映像音声出力機器としての例えばＤＶＤプレイヤＢの映像出力端子が接続され、音声入力端子１０には、音声用ケーブルｅを介してＤＶＤプレイヤＢの音声出力端子が接続されている。ビデオデコーダ９は、映像入力端子８に入力された映像信号をデコードして、画像処理回路４に出力する。オーディオデコーダ１１は、音声入力端子８に入力された音声信号をデコードして音声出力回路１３に出力する。
【００３０】
システムコントローラ１５は、演算や処理を行うＣＰＵ１６と、ＣＰＵ１６の動作に必要なプログラムやデータを記憶したフラッシュＲＯＭ１７と、ＣＰＵ１６の動作に必要なデータを一時的に格納するＲＡＭ１８とを含み、テレビジョン受像機Ａの全体を制御する。リモコン受信部１９は、テレビジョン受像機Ａに付属されたリモコン２３またはＤＶＤプレイヤＢに付属されたリモコンＣからの赤外線のリモコン信号を受信して、電気信号のリモコン信号に変換し、その電気信号のリモコン信号をシステムコントローラ１５に入力する。
【００３１】
タイマ２０は、時間を計時し、計時した時間のデータをシステムコントローラ１５に入力する。電源部２２は、テレビジョン受像機Ａの各回路に電源を供給し、電源制御回路２１は、システムコントローラ１５の指示に従って、電源部２２を動作させたり、動作停止させたりさせることにより、主電源をオンしたり、オフしたりする。なお、主電源がオフされていても、システムコントローラ１５が働くようにしなければならないので、テレビジョン受像機Ａが待機中では、システムコントローラ１５には、待機電源が供給されている。
【００３２】
システムコントローラ１５のＣＰＵ１６は、主電源がオンされたときに、主電源をオフさせるためタイマ２０の計時動作を開始させる計時開始手段と、タイマ２０により計時された時間が所定時間を経過したか否かを判定する時間経過判定手段と、タイマ２０により計時された時間が所定時間を経過したと判定されたとき、主電源をオフさせる電源オフ手段と、タイマ２０により計時された時間が所定時間を経過していないと判定されているとき、リモコン信号を受信したか否かを判定するリモコン信号受信判定手段と、前記リモコン信号を受信したと判定されたときに、受信したリモコン信号が示す当該リモコンコードはフラッシュＲＯＭ１７に予め記憶されているリモコンコードに含まれるか否かを判定する記憶リモコンコード判定手段と、当該リモコンコードがフラッシュＲＯＭ１７に予め記憶されているリモコンコードに含まれると判定されたとき、当該リモコンコードは映像音声出力機器のリモコンコードであるか否かを判定する映像音声出力機器リモコンコード判定手段と、当該リモコンコードは映像音声出力機器のリモコンコードでないと判定されたとき、当該リモコンコードは受像機電源オフのリモコンコードであるか否かを判定する受像機電源オフリモコンコード判定手段と、当該リモコンコードは映像音声出力機器のリモコンコードであると判定されたとき、または当該リモコンコードは受像機電源オフのリモコンコードでないと判定されたとき、タイマ２０による計時を最初から開始させるためにタイマ２０をリセットするタイマリセット手段とを有する。
【００３３】
テレビジョン受像機には、従来技術の項目においても述べたように、ユーザが所定時間操作を行わない場合に、本体の主電源を自動的にオフさせるパワーオフ機能が有るが、これはテレビジョン受像機自体の操作が行われない場合に限られており、例えば、外部入力によりＤＶＤプレイヤによるＤＶＤの映像音声情報を視聴しているときに、ＤＶＤプレイヤに対してリモコン操作を行ったとしても、そのリモコン操作はテレビジョン受像機の動作には全く影響を与えない。これは、つまり、ＤＶＤプレイヤを操作中にもかかわらず、テレビジョン受像機は所定時間操作が行われていないと認識し、主電源をオフする場合が有り得ることを意味する。
【００３４】
そこで、このような課題を解決するために、本発明の一実施形態に係るテレビジョン受像機では、テレビジョン受像機自体が操作されているだけでなく、外部接続のＤＶＤプレイヤなどが操作されていることを、テレビジョン受像機のリモコン受信部にテレビジョン受像機のリモコン以外のリモコンも含めたリモコン信号も入力させ、システムコントローラにより、そのリモコン信号を検知して、パワーオフ機能に関する処理（図２に示すような処理）を行うようにしている。
【００３５】
図２は本実施形態においてテレビジョン受像機のパワーオフ機能の処理を説明するためのフローチャートである。このフローチャートおよび図１を参照してテレビジョン受像機のパワーオフ機能の処理について説明する。
【００３６】
ユーザは、リモコン２３の電源キーを押下すると、システムコントローラ１５のＣＰＵ１６は、リモコン２３からの電源キー信号を、リモコン受信部１９を介して入力すると、その電源キー信号が示す当該電源リモコンコードがフラッシュＲＯＭ１７に記憶されている電源リモコンコード（記憶電源リモコンコード）と一致するか否かを判定するため、フラッシュＲＯＭ１７から記憶電源リモコンコードを読み出し、この記憶電源リモコンコードと当該電源リモコンコードとが一致することにより、リモコン２３の電源キーの押下があったことを検知し（ステップＳ１）、これにより、電源制御回路２１を制御して、電源部２２の図示しない主電源回路を駆動させ、テレビジョン受像機Ａの主電源をオンさせる（ステップＳ２）。
【００３７】
このような処理により、主電源がオンされたときに、システムコントローラ１５のＣＰＵ１６の計時開始手段は、主電源をオフさせるためタイマ２０の計時動作を開始させる（ステップＳ３）。そして、システムコントローラ１５のＣＰＵ１６の時間経過判定手段は、タイマ２０により計時された時間が所定時間を経過したか否かを判定する（ステップＳ４）。前記所定時間は、テレビジョン受像機Ａの主電源がオンされてからの時間であるが、その所定時間になるまでの間に何らかの操作がされたときは、その操作されてからの時間になる。
【００３８】
したがって、通常、同じテレビ番組を連続的に視聴する時間は、例えば、２時間のドラマや、２時間半の映画などがあった場合、そのテレビ番組を視聴中は、テレビジョン受像機Ａを全く操作しないことが多いので、例えば、所定時間を３時間に設定しておけば、３時間の間全く操作しなければ、３時間が経過すれば、テレビジョン受像機Ａの主電源が自動的にオフされることになる。このテレビジョン受像機Ａの主電源を自動的にオフさせるための処理として、システムコントローラ１５のＣＰＵ１６の電源オフ手段は、タイマ２０により計時された時間が所定時間（例えば３時間）を経過したと判定されたとき、電源制御回路２１を制御し、電源部２２の図示しない主電源回路の動作を停止させ、これにより、主電源をオフさせる（ステップＳ５）。
【００３９】
一方、タイマ２０により計時された時間が所定時間を経過していないと判定されているとき（ステップＳ４）、システムコントローラ１５のＣＰＵ１６のリモコン信号受信判定手段は、リモコン信号を受信したか否かを判定する（ステップＳ６）。前記リモコン信号を受信したと判定されたとき、システムコントローラ１５のＣＰＵ１６の記憶リモコンコード判定手段は、受信したリモコン信号が示す当該リモコンコードはフラッシュＲＯＭ１７に予め記憶されているリモコンコードに含まれるか否かを判定する（ステップＳ７）。
【００４０】
即ち、ＣＰＵ１６の記憶リモコンコード判定手段は、受信したリモコン信号が示す当該リモコンコードと同じリモコンコードがフラッシュＲＯＭ１７に有るか無いかを調べるため、フラッシュＲＯＭ１７からリモコンコードを読み出して、当該リモコンコードと比較し、当該リモコンコードと一致するリモコンコードが有るか無いかを判定する。そして、当該リモコンコードがフラッシュＲＯＭ１７から読み出されたリモコンコードの中で一致するリモコンコードが有れば、当該リモコンコードはフラッシュＲＯＭ１７に記憶されているリモコンコード（記憶リモコンコード）に含まれることになるので、テレビジョン受像機Ａ用のリモコン２３またはＤＶＤプレイヤＢ用のリモコンＣが操作されたことになる。
【００４１】
なお、テレビジョン受像機Ａに接続されていない電気機器に対するリモコンが操作されても、そのリモコンのリモコンコードはフラッシュＲＯＭ１７に記憶されていないので、リモコン信号を受信しても、ＣＰＵ１６の記憶リモコンコード判定手段は、そのリモコンコードは記憶リモコンコードに含まれないと判定する。したがって、他の電気機器に対するリモコンが操作されても、テレビジョン受像機Ａには影響を与えることがない。
【００４２】
当該リモコンコードがフラッシュＲＯＭ１７に予め記憶されているリモコンコードに含まれると判定されたとき（ステップＳ７）、システムコントローラ１５のＣＰＵ１６の映像音声出力機器リモコンコード判定手段は、前記読み出されたリモコンコードのうち当該リモコンコードに一致するリモコンコードを検索し、当該リモコンコードに一致するリモコンコードが有れば、この検索したリモコンコードがＤＶＤプレイヤＢのリモコンコードであるか否かを判定する（ステップＳ８）。
【００４３】
なお、フラッシュＲＯＭ１７には、映像音声出力機器（この例の場合、ＤＶＤプレイヤＢ）のリモコンコードと当該テレビジョン受像機Ａのリモコンコードとが予め記憶されており、当該テレビジョン受像機Ａのリモコンコードに当該テレビジョン受像機Ａのリモコンコードであることを示す識別情報を付加しておけば、この識別情報の有無により、リモコン受信部１９で受信されたリモコンコードが示すリモコンコードが、ＤＶＤプレイヤＢのリモコンコードであるか、当該テレビジョン受像機Ａのリモコンコードであるかを区別することができる。即ち、ＣＰＵ１６の映像音声出力機器リモコンコード判定手段は、入力されたリモコンコードに前記識別情報が無ければ、入力されたリモコンコードは、映像音声出力機器（この例の場合、ＤＶＤプレイヤＢ）のリモコンコードであると判定する（ステップＳ８）。
【００４４】
したがって、ＤＶＤプレイヤＢに対するリモコンＣが操作されたことになるので、テレビジョン受像機Ａのパワーオフ機能を初期状態に戻すため、システムコントローラ１５のＣＰＵ１６のタイマリセット手段は、タイマ２０の内容をリセットし、タイマ２０の計時動作を時間０から計時を開始させる（ステップＳ３）。そして、システムコントローラ１５のＣＰＵ１６の時間経過判定手段は、タイマ２０により計時された時間が所定時間を経過したか否かを判定する（ステップＳ４）。この後は前述したように、ステップＳ５の処理またはステップＳ６の処理に移る。
【００４５】
当該リモコンコードは映像音声出力機器（ＤＶＤプレイヤＢ）のリモコンコードでないと判定されたとき（ステップＳ８）、システムコントローラ１５のＣＰＵ１６の受像機電源オフリモコンコード判定手段は、当該リモコンコードはテレビジョン受像機Ａの主電源をオフさせるための受像機電源オフのリモコンコードであるか否かを判定する（ステップＳ９）。当該リモコンコードは受像機電源オフのリモコンコードでないと判定されたとき、リモコン２３の電源キー以外のキー、例えば、チャンネルを切り換えるための数字キーや音量を調整するための音量キーなどが操作されたことになるので、ＣＰＵ１６のタイマリセット手段は、タイマ２０による計時を最初から開始させるためにタイマ２０をリセットする（ステップＳ１０）。この後は、ステップＳ３の処理に戻る。
【００４６】
当該リモコンコードは受像機電源オフのリモコンコードであると判定されたときは（ステップＳ９）、リモコン２３の電源キーが操作されたことになるので、通常通り、システムコントローラ１５のＣＰＵ１６は、電源制御回路２１を制御して、電源部２２の主電源回路の動作を停止させ、これにより、テレビジョン受像機Ａの主電源をオフさせる（ステップＳ５）。
【００４７】
以上説明したように本実施形態によれば、テレビジョン受像機Ａの主電源がオンされてから、タイマ２０により時間が計時され、所定時間が経過すると、主電源がオフされるが、所定時間が経過するまでに、外部接続されたＤＶＤプレイヤＢに対するリモコンＣのキー操作またはテレビジョン受像機Ａに対するリモコン２３の電源キー以外のキー操作がされたとき、タイマ２０はリセットされ、これにより、再び最初から計時された所定時間が経過するまでは、テレビジョン受像機Ａの主電源がオフされることがないので、ユーザは、ＤＶＤプレイヤＢからの映像音声情報をテレビジョン受像機Ａで視聴中に、テレビジョン受像機Ａのパワーオフ機能が働いてテレビジョン受像機Ａの主電源がオフするようなことがなくなり、安心して映像音声情報を視聴することができるようになる。
【００４８】
また、ＤＶＤプレイヤＢに対するリモコンＣにおいては、操作信号をＤＶＤプレイヤＢに対して送信させる以外に、テレビジョン受像機Ａのパワーオフ機能を解除させるための所定のテレビ用操作信号も送信させる必要がないので、ＤＶＤプレイヤＢに対するリモコンＣは、そのまま使用しても、テレビジョン受像機Ａのパワーオフ機能を解除させることができ、したがって、ＤＶＤプレイヤに対する使い勝手も向上する。
【産業上の利用可能性】
【００４９】
本発明は、外部接続された映像音声出力機器からの映像信号および音声信号を入力して映像および音声を出力することも可能で、所定時間操作されなかったときに主電源をオフさせるパワーオフ機能を有するテレビジョン受像機に利用可能であり、映像音声出力機器からの映像音声情報をテレビジョン受像機で視聴中に、テレビジョン受像機のパワーオフ機能が働いてテレビジョン受像機の主電源がオフするようなことを防止する。
【図面の簡単な説明】
【００５０】
【図１】本発明の一実施形態に係るテレビジョン受像機の構成を示すブロック図である。
【図２】前記実施形態においてテレビジョン受像機のパワーオフ機能の処理を説明するためのフローチャートである。
【符号の説明】
【００５１】
Ａ    テレビジョン受像機
Ｂ    ＤＶＤプレイヤ（映像音声出力機器）
Ｃ    リモコン（ＤＶＤプレイヤに対するリモコン）
１５    システムコントローラ
２０    タイマ
２３    リモコン（テレビジョン受像機に対するリモコン）
【図１】
2008227895.tif 000003
【図２】
2008227895.tif 000004